(57)【要約】【課題】正確且つ簡易な測量情報を提供し、使用上便利で実用性を具えるデジタル式計測器を提供する。      【解決手段】デジタル式計測器は、液晶ディスプレイを使用し、光学センサー部品と共に使用することにより、測量した数値を簡易に表示し、判読が容易である。このデジタル式計測器は、測量部品、センサー部品、計数器、液晶ディスプレイ、液晶駆動部品及び電源供給ユニットから構成される。使用上、被測量物件を測量し、センサー部品で測量した数値情報を計数器に伝え、液晶ディスプレイに表示し、それを判読する。【選択図】図１
0003128096.tif 000002
【実用新案登録請求の範囲】
【請求項１】
主に測量部品、センサー部品、計数器、液晶ディスプレイ、液晶ディスプレイ駆動部品、電源供給ユニットから構成されたデジタル式計測器において、
物体のサイズを測るための測量部品と、
測量部品で測って得た測量メモリの数値情報を感知するセンサー部品と、
国際単位系(センチメートル)とヤード・ポンド法(インチ)の切換を表示し、且つ単位をゼロに戻す機能を具えた計数器と、
測量した数値情報を表示する液晶ディスプレイと、
液晶ディスプレイを駆動する液晶ディスプレイ駆動部品と、
上述の各ユニットを運転するのに必要な電力供給源となる電源供給ユニットを含み、
上述を組み立てて、正確且つ簡易に測量情報を表示することを特徴とするデジタル式計測器。
【請求項２】
前記測量部品は、国際単位系とヤード・ポンド法の測量メモリを設置することを特徴とする請求項１記載のデジタル式計測器。
【考案の詳細な説明】
【技術分野】
【０００１】
本考案は、デジタル式計測器に関するもので、正確且つ簡易な測量情報を提供し、使用上便利で実用性を具えたものである。
【背景技術】
【０００２】
一般的な測量器具は、その機能及び被測量物の種類によって分かれ、直尺、三角尺、巻尺、布尺等があり、如何なる種類の測量器具でも測量標準メモリが設置され、その測量物を測る。
【０００３】
以上、様々な測量器具は使用上、便利な機能を具えている。しかし、その測量結果は往々にして理想的でない。その原因は測量過程に於いて不確定要素があることに他ならない。この不確定要素とは、測量時の姿勢、測量方法及び測量結果の判読などが含まれる。測量姿勢は正しくない姿勢は測量過程に不利なだけでなく、測量が偏り、正しい結果が得られない。測量方式が不正確であることについては測量値の正確度にも影響する。また測量結果の判読は、目測位置による誤差が発生し、正しい情報を得ることができない。
【考案の開示】
【考案が解決しようとする課題】
【０００４】
解決しようとする問題点は、公知の測量器具では正しい測量結果が得にくい点である。
【課題を解決するための手段】
【０００５】
本考案は、液晶ディスプレイを使用し、光学センサー部品と共に使用することにより、測量した数値を簡易に表示し、判読が容易である。このデジタル式計測器は、測量部品、センサー部品、計数器、液晶ディスプレイ、液晶駆動部品及び電源供給ユニットから構成される。使用上、被測量物件を測量し、センサー部品で測量した数値情報を計数器に伝え、液晶ディスプレイに表示し、それを判読することを最も主要な特徴とする。
【考案の効果】
【０００６】
本考案のデジタル式計測器は、正確且つ簡易な測量情報を提供し、使用上便利で実用性を具えるという利点がある。
【考案を実施するための最良の形態】
【０００７】
液晶ディスプレイに光学センサー部品を結合したデジタル式計測器を提供する。これにより、測量した数値上を液晶ディスプレイに表示して便利で且つ判読しやすい効果を具える。便利で簡単であるため実用性を具える。
【実施例】
【０００８】
図１に示すとおり、本考案のデジタル式計測器１は下述を含む。  測量部品１０は、国際単位系とヤード・ポンド法の測量メモリ１１を各々具え、測量物体のサイズを測る。実施に於いて、細縄、プラスチック片、布、金属変等の基材で製造する。
【０００９】
センサー部品２０は、測量部品１０と相互に装備され、測量部品１０で測量した後に得られた測量メモリの数値情報を感知する。実施上、赤外線センサー、接触式バネ片もしくはその他光学センサー部品を用いる。
【００１０】
計数器３０は、ＩＣから構成され、国際単位系(センチメートル)とヤード・ポンド法(インチ)の切換を提供し、且つゼロに戻す機能を具え、間違った測量数値情報の取得を避ける。
【００１１】
液晶ディスプレイ４０は、四桁まで表示できる液晶ディスプレイで、測量した数値情報を表示する。
【００１２】
液晶駆動部品５０は、液晶ディスプレイ４０と共に設置され、液晶ディスプレイ４０を駆動させる。
【００１３】
電源供給ユニット６０は、上述の各ユニットを運転するのに必要な電力の供給源となり、且つ実施上、３Ｖもしくは１．５Ｖの直流電源とする。
【００１４】
以上の構造を組立て、実際に使用する時、このデジタル式計測器１は、我々が日常生活で使用する携帯小物品と結合する。図２に示すのは筆記用具で、図３はキーホルダー、図４は巻尺、図５は定規であり、既製物品の機能を向上させるほかに、使用上の便利性を高める。
【００１５】
図２から図５に示すデジタル式計測器を諸物品に結合することにより、このデジタル式計測器１は何時でも何処でも簡易に使用することができ、且つ操作に於いて測量部品１０引き出して被測量物品に合わせるだけで測量を行い、数値が確定した後、この数値情報を液晶ディスプレイ４０を通して表示し、それを判読する。
【図面の簡単な説明】
【００１６】
【図１】本考案の構造ブロックダイアグラムである。
【図２】本考案の第一実施例図である。
【図３】本考案の第二実施例図である。
【図４】本考案の第三実施例図である。
【図５】本考案の第四実施例図である。
【符号の説明】
【００１７】
１        デジタル式計測器
１０        測量部品
１１        測量メモリ
２０        センサー部品
３０        計数器
４０        液晶ディスプレイ
５０        液晶ディスプレイ駆動部品
６０        電源供給ユニット
【図１】
0003128096.tif 000003
【図２】
0003128096.tif 000004
【図３】
0003128096.tif 000005
【図４】
0003128096.tif 000006
【図５】
0003128096.tif 000007
【手続補正書】
【提出日】平成18年10月19日(2006.10.19)
【手続補正１】
【補正対象書類名】実用新案登録請求の範囲
【補正対象項目名】全文
【補正方法】変更
【補正の内容】
【実用新案登録請求の範囲】
【請求項１】
主に測量部品、センサー部品、計数器、液晶ディスプレイ、液晶ディスプレイ駆動部品、電源供給ユニットから構成されたデジタル式計測器において、
物体のサイズを測るための測量部品と、
測量部品で測って得た測量目盛りの数値情報を感知するセンサー部品と、
国際単位系(センチメートル)とヤード・ポンド法(インチ)の切換を表示し、且つ単位をゼロに戻す機能を具えた計数器と、
測量した数値情報を表示する液晶ディスプレイと、
液晶ディスプレイを駆動する液晶ディスプレイ駆動部品と、
上述の各ユニットを運転するのに必要な電力供給源となる電源供給ユニットを含み、
上述を組み立てて、正確且つ簡易に測量情報を表示することを特徴とするデジタル式計測器。
【請求項２】
前記測量部品は、国際単位系とヤード・ポンド法の測量目盛りを設置することを特徴とする請求項１記載のデジタル式計測器。
【手続補正２】
【補正対象書類名】明細書
【補正対象項目名】全文
【補正方法】変更
【補正の内容】
【考案の詳細な説明】
【技術分野】
【０００１】
本考案は、デジタル式計測器に関するもので、正確且つ簡易な測量情報を提供し、使用上便利で実用性を具えたものである。
【背景技術】
【０００２】
一般的な測量器具は、その機能及び被測量物の種類によって分かれ、直尺、三角尺、巻尺、布尺等があり、如何なる種類の測量器具でも測量標準目盛りが設置され、その測量物を測る。
【０００３】
以上、様々な測量器具は使用上、便利な機能を具えている。しかし、その測量結果は往々にして理想的でない。その原因は測量過程に於いて不確定要素があることに他ならない。この不確定要素とは、測量時の姿勢、測量方法及び測量結果の判読などが含まれる。測量姿勢は正しくない姿勢は測量過程に不利なだけでなく、測量が偏り、正しい結果が得られない。測量方式が不正確であることについては測量値の正確度にも影響する。また測量結果の判読は、目測位置による誤差が発生し、正しい情報を得ることができない。
【考案の開示】
【考案が解決しようとする課題】
【０００４】
解決しようとする問題点は、公知の測量器具では正しい測量結果が得にくい点である。
【課題を解決するための手段】
【０００５】
本考案は、液晶ディスプレイを使用し、光学センサー部品と共に使用することにより、測量した数値を簡易に表示し、判読が容易である。このデジタル式計測器は、測量部品、センサー部品、計数器、液晶ディスプレイ、液晶駆動部品及び電源供給ユニットから構成される。使用上、被測量物件を測量し、センサー部品で測量した数値情報を計数器に伝え、液晶ディスプレイに表示し、それを判読することを最も主要な特徴とする。
【考案の効果】
【０００６】
本考案のデジタル式計測器は、正確且つ簡易な測量情報を提供し、使用上便利で実用性を具えるという利点がある。
【考案を実施するための最良の形態】
【０００７】
液晶ディスプレイに光学センサー部品を結合したデジタル式計測器を提供する。これにより、測量した数値上を液晶ディスプレイに表示して便利で且つ判読しやすい効果を具える。便利で簡単であるため実用性を具える。
【実施例】
【０００８】
図１に示すとおり、本考案のデジタル式計測器１は下述を含む。  測量部品１０は、国際単位系とヤード・ポンド法の測量目盛り１１を各々具え、測量物体のサイズを測る。実施に於いて、細縄、プラスチック片、布、金属変等の基材で製造する。
【０００９】
センサー部品２０は、測量部品１０と相互に装備され、測量部品１０で測量した後に得られた測量目盛りの数値情報を感知する。実施上、赤外線センサー、接触式バネ片もしくはその他光学センサー部品を用いる。
【００１０】
計数器３０は、ＩＣから構成され、国際単位系(センチメートル)とヤード・ポンド法(インチ)の切換を提供し、且つゼロに戻す機能を具え、間違った測量数値情報の取得を避ける。
【００１１】
液晶ディスプレイ４０は、四桁まで表示できる液晶ディスプレイで、測量した数値情報を表示する。
【００１２】
液晶駆動部品５０は、液晶ディスプレイ４０と共に設置され、液晶ディスプレイ４０を駆動させる。
【００１３】
電源供給ユニット６０は、上述の各ユニットを運転するのに必要な電力の供給源となり、且つ実施上、３Ｖもしくは１．５Ｖの直流電源とする。
【００１４】
以上の構造を組立て、実際に使用する時、このデジタル式計測器１は、我々が日常生活で使用する携帯小物品と結合する。図２に示すのは筆記用具で、図３はキーホルダー、図４は巻尺、図５は定規であり、既製物品の機能を向上させるほかに、使用上の便利性を高める。
【００１５】
図２から図５に示すデジタル式計測器を諸物品に結合することにより、このデジタル式計測器１は何時でも何処でも簡易に使用することができ、且つ操作に於いて測量部品１０引き出して被測量物品に合わせるだけで測量を行い、数値が確定した後、この数値情報を液晶ディスプレイ４０を通して表示し、それを判読する。
【図面の簡単な説明】
【００１６】
【図１】本考案の構造ブロックダイアグラムである。
【図２】本考案の第一実施例図である。
【図３】本考案の第二実施例図である。
【図４】本考案の第三実施例図である。
【図５】本考案の第四実施例図である。
【符号の説明】
【００１７】
１        デジタル式計測器
１０        測量部品
１１        測量目盛り
２０        センサー部品
３０        計数器
４０        液晶ディスプレイ
５０        液晶ディスプレイ駆動部品
６０        電源供給ユニット